(57)【要約】【課題】音声データの出力数をカウントすることなく画像と音声とを精度よく同期させることができる音声付き動画再生装置、再生クロック補正方法を提供する。【解決手段】  動画像データと音声データとを含む動画データの再生に先立ち、その音声データを所定量分だけ音声デコード部３等によって無音再生させ、その再生時間を画像用クロック１１のクロック信号をカウントすることにより計測する。計測した再生時間と、再生した音声データのデータ量に応じた計算上の再生時間（理論値）とに基づき、画像用クロック１１の音声用クロックに対する相対誤差を演算する。演算した相対誤差に応じてフレームレートレジスタ１０ａに設定するフレームレートの値を予め補正する。動画像データの再生時には、補正後のフレームレートでフレーム間隔タイマー１０に割り込みを発生させ、画像デコード部１０へ画像の表示タイミングを供給する。【選択図】      図１
2006050362.tif 000002
【特許請求の範囲】
【請求項１】
動画像データと音声データとを含む動画データの再生に際し、前記動画像データを画像用クロックのクロック信号に基づき画像再生手段によって再生する一方、この画像再生に同期させて前記音声データを前記画像用クロックと周波数の異なる音声用クロックのクロック信号に基づき音声再生手段によって再生する音声付き動画再生装置において、
前記音声再生手段に所定量の計測用音声データを再生させる制御手段と、
前記音声再生手段による前記計測用音声データの実際の再生時間を前記画像用クロックのクロック信号に基づき計測する計測手段と、
この計測手段により計測された再生時間と前記所定量の音声データの計算上の再生時間とに基づき、前記画像用クロックの前記音声用クロックに対する相対誤差を演算する演算手段と、
この演算手段により演算された相対誤差に応じて、画像再生手段による動画像データの再生時における画像の表示タイミングを補正する補正手段と
を備えたことを特徴とする音声付き動画再生装置。
【請求項２】
前記画像用クロックのクロック信号に基づき、設定されたフレームレートによる表示タイミングを指示するタイミング信号を生成し前記画像再生手段に出力するタイミング生成手段を備え、
前記補正手段は、前記演算手段により演算された相対誤差に応じて前記フレームレートの設定値を補正することにより、画像再生手段による動画像データの再生時における画像の表示タイミングを補正することを特徴とする請求項１記載の音声付き動画再生装置。
【請求項３】
前記制御手段は、動画データの再生に先立ち音声再生手段に所定量の計測用音声データを再生させることを特徴とする請求項１又は２記載の音声付き動画再生装置。
【請求項４】
前記制御手段は、再生すべき動画データに音声データが含まれているか否かを判定する判定手段を含み、この判定手段により音声データが含まれていると判定された場合に、前記音声再生手段に所定量の計測用音声データを再生させることを特徴とする請求項３記載の音声付き動画再生装置。
【請求項５】
前記制御手段は、音声再生手段に前記所定量の計測用音声データを無音で再生させることを特徴とする請求項１乃至４のいずれか１項に記載の音声付き動画再生装置。
【請求項６】
前記所定量の計測用音声データは、再生すべき動画データに含まれている音声データであることを特徴とする請求項４記載の音声付き動画再生装置。請求項１乃至５のいずれか１項に記載の音声付き動画再生装置。
【請求項７】
動画像データと音声データとを含む動画データの再生に際し、前記動画像データを、画像用クロックのクロック信号に基づき再生する一方、この画像再生に同期させて前記音声データを前記画像用クロックと周波数の異なる音声用クロックのクロック信号に基づき再生する音声付き動画再生装置における、再生時の動画像と音声との同期を確保するための再生クロック補正方法において、
所定量の計測用音声データを再生したときの実際の再生時間を前記画像用クロックのクロック信号に基づき計測する工程と、
計測した実際の再生時間と、前記所定量の音声データの計算上の再生時間とに基づき、前記画像用クロックの前記音声用クロックに対する相対誤差を演算する工程と、
演算した相対誤差に応じて動画像データの再生時における画像の表示タイミングを補正する工程と
を含むことを特徴とする再生クロック補正方法。
【請求項８】
動画像データと音声データとを含む動画データの再生に際し、前記動画像データを、画像用クロックのクロック信号に基づき画像再生手段によって再生する一方、この画像再生に同期させて前記音声データを前記画像用クロックと周波数の異なる音声用クロックのクロック信号に基づき音声再生手段によって再生する音声付き動画再生装置が有するコンピュータに、
前記音声再生手段に所定量の計測用音声データを再生させる処理と、
前記音声再生手段における前記計測用音声データの実際の再生時間を前記画像用クロックのクロック信号に基づき計測する処理と、
計測された再生時間と前記所定量の音声データの計算上の再生時間とに基づき、前記画像用クロックの前記音声用クロックに対する相対誤差を演算する処理と、
演算された相対誤差に応じて動画像データの再生時における画像の表示タイミングを補正する処理と
を実行させるためのプログラム。
【発明の詳細な説明】
【技術分野】
【０００１】
本発明は、音声付き動画再生装置、及び音声付き動画再生装置における再生クロック補正方法に関するものである。
【背景技術】
【０００２】
従来、動画像データと音声データとが含まれる動画データを再生する音声付き動画再生装置には、再生クロック源が画像用と音声用とが別々に設けられるとともに、一方または双方の再生クロック源に、個体差や温度変化、経年変化が存在する低精度のものが安価であることを理由に使用されるものがある。
【０００３】
そして、低精度の再生クロック源を使用しても再生時に画像と音声を正しく同期させるための技術として、例えば下記の特許文献１には、再生時に音声データの出力数をカウントし、次の画像（フレーム画像）を表示するタイミングを補正するようにしたものが記載されている。
【０００４】
なお、再生クロック源が単一であったり、画像用と音声用とが別々に設けられているが、双方が高精度であったりするものでは、画像の表示タイミングと音声の再生タイミングとの間に相対的なズレが生じないため、上述したような特別な処理を行わなくとも再生時の画像と音声とを正しく同期させることができる。
【特許文献１】特開２００３−３３９０２３号公報
【発明の開示】
【発明が解決しようとする課題】
【０００５】
しかしながら、上述した従来の技術においては、再生時に音声データの出力数をカウントすることが不可欠となるが、例えばハードウェア構成の制約や、その他の理由によって、音声データの出力数をカウントできない場合もあり、その場合には上記技術を採用することができないという問題があった。
【０００６】
本発明は、かかる従来の課題に鑑みてなされたものであり、音声データの出力数をカウントすることなく画像と音声を精度よく同期させることが可能となる音声付き動画再生装置、再生クロック補正方法と、その実現に使用されるプログラムを提供することを目的とする。
【課題を解決するための手段】
【０００７】
前記課題を解決するため請求項１の発明にあっては、動画像データと音声データとを含む動画データの再生に際し、前記動画像データを、画像用クロックのクロック信号に基づき画像再生手段によって再生する一方、この画像再生に同期させて前記音声データを前記画像用クロックと周波数の異なる音声用クロックのクロック信号に基づき音声再生手段によって再生する音声付き動画再生装置において、前記音声再生手段に所定量の計測用音声データを再生させる制御手段と、前記音声再生手段による前記計測用音声データの実際の再生時間を前記画像用クロックのクロック信号に基づき計測する計測手段と、この計測手段により計測された再生時間と前記所定量の音声データの計算上の再生時間とに基づき、前記画像用クロックの前記音声用クロックに対する相対誤差を演算する演算手段と、この演算手段により演算された相対誤差に応じて、画像再生手段による動画像データの再生時における画像の表示タイミングを補正する補正手段とを備えたものとした。
【０００８】
かかる構成においては、所定量の計測用音声データを再生することによって、画像用クロックの音声用クロックに対する相対誤差が得られ、それを用いて動画像データの再生時における画像の表示タイミングが補正され、それにより再生時の動画像と音声とが正しく同期される。したがって、音声データの出力数をカウントすることなく画像と音声とを精度よく同期させることができる。
【０００９】
また、請求項２の発明にあっては、前記画像用クロックから出力されるクロック信号に基づき、設定されたフレームレートによる表示タイミングを指示するタイミング信号を生成し前記画像再生手段に出力するタイミング生成手段を備え、前記補正手段は、前記演算手段により演算された相対誤差に応じて前記フレームレートの設定値を補正することにより、画像再生手段による動画像データの再生時における画像の表示タイミングを補正するものとした。
【００１０】
かかる構成においては、画像用クロックの音声用クロックに対する相対誤差に応じて、動画像のフレームレートが補正されることにより、動画像データの再生時における画像の表示タイミングが補正される。したがって、再生中に音声データの出力数をカウントすることなく画像と音声とを精度よく同期させることができる。また、動画像のフレームレートの補正を再生前に一度行えば、再生中には補正する必要がないため、画像再生手段による画像再生を従来と同様の処理によって行うことができる。
【００１１】
また、請求項３の発明にあっては、前記制御手段は、動画データの再生に先立ち音声再生手段に所定量の計測用音声データを再生させるものとした。
【００１２】
かかる構成においては、動画データの再生途中と関係なく、画像用クロックの音声用クロックに対する相対誤差の補正動作を行うことができる。また、
【００１３】
また、請求項４の発明にあっては、前記制御手段は、再生すべき動画データに音声データが含まれているか否かを判定する判定手段を含み、この判定手段により音声データが含まれていると判定された場合に、前記音声再生手段に所定量の計測用音声データを再生させるものとした。
【００１４】
かかる構成においては、画像用クロックの音声用クロックに対する相対誤差の補正動作を動画データの再生直前に行う構成とした場合、音声データが含まれていない動画データの再生に際しては、それに先立つ無用な補正動作を省略させることができる。
【００１５】
また、請求項５の発明にあっては、前記制御手段は、音声再生手段に前記所定量の計測用音声データを無音で再生させるものとした。
【００１６】
かかる構成においては、計測用音声データとして使用可能な音声データの選択幅を拡げることができる。
【００１７】
また、請求項６の発明にあっては、前記所定量の計測用音声データは、再生すべき動画データに含まれている音声データであるものとした。したがって、特別な計測用音声データを不要とすることができる。
【００１８】
また、請求項７の発明にあっては、動画像データと音声データとを含む動画データの再生に際し、前記動画像データを、画像用クロックのクロック信号に基づき再生する一方、この画像再生に同期させて前記音声データを前記画像用クロックと周波数の異なる音声用クロックのクロック信号に基づき再生する音声付き動画再生装置における、再生時の動画像と音声との同期を確保するための再生クロック補正方法において、所定量の計測用音声データを再生したときの実際の再生時間を前記画像用クロックのクロック信号に基づき計測する工程と、計測した実際の再生時間と、前記所定量の音声データの計算上の再生時間とに基づき、前記画像用クロックの前記音声用クロックに対する相対誤差を演算する工程と、演算した相対誤差に応じて動画像データの再生時における画像の表示タイミングを補正する工程とを含む方法とした。
【００１９】
かかる方法によれば、音声データの出力数をカウントすることなく画像と音声とを精度よく同期させることができる。
【００２０】
また、請求項８の発明にあっては、動画像データと音声データとを含む動画データの再生に際し、前記動画像データを、画像用クロックのクロック信号に基づき画像再生手段によって再生する一方、この画像再生に同期させて前記音声データを前記画像用クロックと周波数の異なる音声用クロックのクロック信号に基づき音声再生手段によって再生する音声付き動画再生装置が有するコンピュータに、前記音声再生手段に所定量の計測用音声データを再生させる処理と、前記音声再生手段における前記計測用音声データの実際の再生時間を前記画像用クロックのクロック信号に基づき計測する処理と、計測された再生時間と前記所定量の音声データの計算上の再生時間とに基づき、前記画像用クロックの前記音声用クロックに対する相対誤差を演算する処理と、演算された相対誤差に応じて動画像データの再生時における画像の表示タイミングを補正する処理とを実行させるためのプログラムとした。
【発明の効果】
【００２１】
以上のように本発明によれば、音声データの出力数をカウントすることなく画像と音声とを精度よく同期させることができるようにした。その結果、より多様な構成の音声付き動画再生装置においても、再生時における画像と音声との間に正しい同期を確保することが可能となる。
【００２２】
また、動画像のフレームレートの補正によって、動画像データの再生時における画像の表示タイミングを補正するものでは、動画像のフレームレートの補正を再生前に一度行えば、再生中には補正する必要がないため、画像再生手段による画像再生を従来と同様の処理によって行うことができる。
【００２３】
また、動画データの再生途中と関係なく、画像用クロックの音声用クロックに対する相対誤差の補正動作を行うことができるようにした。よって、動画データの再生途中における装置の処理負担を軽減させることが可能となる。
【００２４】
また、画像用クロックの音声用クロックに対する相対誤差の補正動作を動画データの再生直前に行う構成とした場合にあっては、音声データが含まれていない動画データを再生するとき、それに先立つ無用な動作を省略することができる。
【００２５】
また、計測用音声データとして使用可能な音声データの選択幅を拡げることができるようにした、よって、設計の自由度を拡げることができる、さらに計測用音声データを、再生すべき動画データに含まれている音声データとすることにより、特別な計測用音声データを不要とすることができる。
【発明を実施するための最良の形態】
【００２６】
以下、本発明の一実施の形態を図にしたがって説明する。図１は、本発明に係る音声付き動画再生装置の構成を示すブロック図であり、以下の各部を備えている。
【００２７】
すなわち音声付き動画再生装置は、外部から入力される動画データや、任意のデータ記憶装置、データ記録媒体に記憶されている動画データが入力するデータ入力部１、データ入力部１に入力した動画データを解析し、符号化されている動画像データと音声データに分離するデータ分離部２を備えている。
【００２８】
また、音声付き動画再生装置は、分離された音声データを復号化する音声デコード部３、復号化された再生すべきデジタルの音声データを一時記憶する音声バッファ４、音声バッファ４内の音声データをアナログの音声信号へ変換し出力するＤＡ変換部５、音声信号に応じた音声を出力するためのアンプやスピーカー、ヘッドフォン等からなる音声出力部６、ＤＡ変換部５に、動作基準となるクロック信号を供給する音声用クロック７を備えている。上記音声デコード部３、音声バッファ４、ＤＡ変換部５、音声出力部６が本発明の音声再生手段である。
【００２９】
また、音声付き動画再生装置は、データ分離部２で分離された動画像データを復号化し、復号化した画像データを所定のフレームレートで出力する画像デコード部８、画像データに基づく画像（フレーム画像）を表示するＣＲＴやＬＣＤ等からなる画像表示部９、フレーム間隔タイマー１０、フレーム間隔タイマー１０の動作基準となるクロック信号を供給する画像用クロック１１を備えている。上記画像デコード部８、画像表示部９が本発明の画像再生手段である。フレーム間隔タイマー１０は本発明のタイミング生成手段であって、フレームレートレジスタ１０ａに設定されているフレームレートに応じた一定間隔で割り込みを発生し、フレーム画像の表示タイミングを指示するタイミング信号を生成してデータ分離部２と画像デコード部８とに出力する。
【００３０】
そして、音声付き動画再生装置は、装置全体の制御を行うＣＰＵ１２と、ＣＰＵ１２に後述する動画再生処理を行わせることにより、ＣＰＵ１２を本発明の制御手段、計測手段、演算手段、補正手段、判定手段として機能させるためのプログラム等が格納されたＲＯＭ１３、ＣＰＵ１２のワーキングメモリであるＲＡＭ１４、使用者による指示を受け付けＣＰＵ１２に伝えるための各種の操作キー等からなるユーザーインターフェース部１５を備えている。
【００３１】
なお、本実施の形態において、前記動画データには、動画像データ及び音声データと共に、それらのデコードに必要な情報、すなわち動画像データについては、符号化方式、再生時間、画像サイズ、ビットレート、フレームレート、データサイズ等の情報、音声データについては、符号化方式、サンプリング周波数、チャンネル数、ビットレート、データサイズ等の情報が含まれており、それら情報はデータ分離部２において取得されＣＰＵ１２へ送られる。
【００３２】
次に、以上の構成からなる音声付き動画再生装置の動画再生時における動作を図２のフローチャートに従って説明する。
【００３３】
動画再生を開始すると、まずＣＰＵ１２が、データ分離部２から再生すべき動画データにおける前述した各種情報からなる動画パラメータのを読み込み（ステップＳＡ１）、動画データに音声データが含まれているか否かを判定する（ステップＳＡ２）。
【００３４】
ここで、音声データが含まれていたときには（ステップＳＡ２でＹＥＳ）、図３に示したクロック誤差計測処理に移行する（ステップＳＡ４）。なお、クロック誤差計測処理は、画像用クロック１１に存在する音声用クロック７に対する相対誤差であって、主として周辺温度の変化により発生する誤差を計測するものである。係るクロック誤差計測処理において、ＣＰＵ１２は、先ず音声出力部６に音声出力を禁止する設定を行ってから（ステップＳＢ１）、画像用クロック１１から出力されるクロック信号のカウントを開始し（ステップＳＢ２）、同時に音声デコード部３等に、再生すべき動画データに含まれている音声データの所定量分の再生（無音再生）を開始させる（ステップＳＢ３）。ここで再生させるデータ量は、相対誤差を求めるために必要十分な時間の任意のデータ量であり、本実施の形態では、音声バッファ４における所定の開始アドレスから所定の終了アドレスまでの音声データを本発明の計測用音声データとしてＤＡ変換部５に再生させる。
【００３５】
そして、上記音声データの再生が終了したら（ステップＳＢ４でＹＥＳ）、その時点で画像用クロック１１のクロック信号のカウントを停止し（ステップＳＢ５）、音声出力部６における音声出力の禁止設定を解除する（ステップＳＢ６）。しかる後、ここで再生した音声データのデータ量とクロック信号のカウント値に基づいて補正係数を計算する（ステップＳＢ７）。
【００３６】
ここで計算する補正係数は、後述するように動画像の画像再生間隔（フレームレート）の補正に使用される係数であり、以下のように求める。
［補正係数＝音声再生に実際に要した時間÷再生時間の理論値（計算上の時間）］
すなわち、
［補正係数＝画像クロックのカウント値÷カウンタ理論値］
を計算する。
【００３７】
この補正係数は、画像用クロック１１の音声用クロック７に対する相対誤差を示す比率であり、例えば、画像クロック１１のカウンタが１μ秒であり、誤差計測用に１００ミリ秒（８，０００Ｈｚサンプリング、８ビット、モノラルのデータであれば８００バイト分）の音声データを再生するとした場合、カウンタ理論値は１００，０００である。したがって、動画パラメータで指定されている画像再生間隔（フレームレート）が６６，６６６μ秒（１５ｆｐｓ）である場合、画像クロック１１のカウント値が９０，０００であれば補正係数は０．９となり、画像再生間隔は動画パラメータで指定されている時間よりも短い６０，０００μ秒（１６．７ｆｐｓ）となる。また、同様の条件で、画像クロック１１のカウント値が１１０，０００であれば補正係数は１．１となり、画像再生間隔は動画パラメータで指定されている時間よりも長い７３，３３３μ秒（１３．６ｆｐｓ）となる。
【００３８】
そして、ＣＰＵ１２は上述した補正係数を計算したら、図２のメインルーチンに戻り、動画パラメータで指定されているフレームレートに上記の補正係数を乗じて動画像のフレームレートを補正する。すなわち、
［補正後のフレームレート＝指定されているフレームレート×補正係数］
を計算するとともに、補正後のフレームレートをフレーム間隔タイマー１０のフレームレートレジスタ１０ａに設定する（ステップＳＡ５）。
【００３９】
しかる後、音声デコード部３に、動画再生に伴う音声データの読み込み、及びデコードを開始させて（ステップＳＡ６）、音声出力部６による音声出力を開始させ後（ステップＳＡ７）、ステップＳＡ８へ進む。
【００４０】
一方、前述したステップＳＡ２の判定結果がＮＯであって、再生すべき動画データに音声データが含まれていなかった場合、すなわち音声無し動画の再生時には、ＣＰＵ１２は、動画データに示されている動画像のフレームレートを、そのままフレーム間隔タイマー１０のフレームレートレジスタ１０ａに設定し（ステップＳＡ３）、ステップＳＡ８へ進む。
【００４１】
続くステップＳＡ８においては、画像デコード部８による動画像データの読み込み、及びデコードと、画像表示部９による１枚目の画像（フレーム画像）の表示を行う。次に、フレーム間隔タイマー１０による、フレームレートレジスタ１０ａに設定されたフレームレートに応じた画像再生間隔による割り込みを（タイミング信号の出力）開始させる（ステップＳＡ９）。以後、画像デコード部８は割り込みの発生による表示タイミング待ちとなり、表示タイミングが到来した時点で（ステップＳＡ１０でＹＥＳ）、次のフレーム分の動画像データの読み込み、及びデコードと、画像表示を行う（ステップＳＡ１１）。引き続き、音声デコード部３が、音声バッファ４への音声データの充填が必要であれば（ステップＳＡ１２でＹＥＳ）、音声データの読み込み、及びデコードを行い、音声バッファ４へ新たに音声データを充填する（ステップＳＡ１３）。なお、音声無し動画の再生時にはステップＳＡ１２がＮＯとなる。
【００４２】
以後、動画データの再生が終了するまでの間は、ステップＳＡ１０へ戻って上述した処理を繰り返す（ステップＳＡ１４でＮＯ）。やがて動画データの再生が終了すると、ＣＰＵ１２がフレーム間隔タイマー１０による割り込み動作を停止させるとともに（ステップＳＡ１５）、その他の終了処理を行うことにより（ステップＳＡ１６）、動画再生を終了する。
【００４３】
以上のように本実施の形態の音声付き動画再生装置においては、所定量の計測用音声データを再生し、その再生時間を画像クロック１１を用いて計測することにより音声用クロック７に対する画像クロック１１の相対誤差を取得し、取得した相対誤差に応じて動画像のフレームレート、つまりフレーム毎の画像の表示タイミングを補正するため、再生時の動画像と音声とを正しく同期させることができる。すなわち音声付き動画の再生中における音声用クロック７の画像クロック１１に対する相対誤差の時間的な変化は無視できるものであり、再生開始前におるフレームレートの補正で事足りるためである。なぜなら、使用する双方のクロックが低精度のものであっても、相対誤差の動画再生中における変化は個体差や経年変化では発生せず、再生中の温度変化により発生する可能性があるが、急激な温度変化がなければ無視できるためである。したがって、音声データの出力数をカウントすることなく画像と音声とを精度よく同期させることができる。
【００４４】
しかも、動画データの再生に先立ち、予め動画像のフレームレートを補正するため、本実施の形態のように、一定間隔で割り込みを発生するフレーム間隔タイマー１０によって動画像の各画像の表示タイミングを得る構成であって、フレーム間隔タイマー１０の割り込み間隔を変更する場合には、それをいったん停止させる必要がある構成であっても、動画再生前に予めフレームレートを補正して設定しておけば、再生中にはそれを補正する必要がない。したがって、支障なく再生時の動画像と音声とを正しく同期させることができる。
【００４５】
また、上記のように、再生中にはフレームレートを補正する必要がなく、動画像（及び音声）の再生動作を従来と全く同様の処理によって行うことができる。したがって、本実施の形態に示した音声付き動画再生装置は、同一のハード構成を有する従来の装置についてＲＯＭ１３に格納されていたプログラムを変更するだけで、すなわち所謂ファームウェアのバージョンアップを行うだけで、それを得ることが可能である。
【００４６】
また、本実施の形態においては、動画像のフレームレートを補正するための処理（ステップＳＡ４，ＳＡ５の処理）を、再生すべき動画データに音声データが含まれている場合のみ行うため、再生すべき動画データに音声データが含まれていない場合には、無用な動作を省略することができる。
【００４７】
なお、画像用クロック１１の音声用クロック７に対する相対誤差の取得処理は、必ずしも動画データの再生開始の直前に行わなくともよく、例えば電源オン時であってもよく、また、音声付き動画再生装置が動画再生モード以外の動作モードを有している場合には、他の動作モードから動画再生モードへ遷移した時点で行っても構わない。但し、その場合には、相対誤差の計測に際しては任意の音声データを再生させるとともに、取得した相対誤差をＲＡＭ１４等に記憶しておくこととなる。
【００４８】
さらには、本実施の形態と異なり、動画再生時においてフレームレートが適宜変更可能な構成であれば、例えば動画データの再生直後に、音声データを所定量再生する間に図３で説明したクロック誤差計測処理を行い、それにより取得した補正係数を用いてフレームレートを補正することも可能である。但し、フレームレートの補正は、本実施の形態のように動画データの再生開始前に行った方が、動画データの再生途中における装置の処理負担を軽減させることができる。
【００４９】
また、本実施の形態においては、その再生時間を画像クロック１１を用いて計測する所定量の計測用音声データを、再生すべき動画データに含まれている音声データの一部としたことから、専ら画像クロック１１の相対誤差計測を使用目的とした特別な計測用音声データが不要となる。なお、これに限らず、特別な計測用音声データを予め用意することもできる。また、いずれの音声データを使用する場合においても、本実施の形態のように相対誤差の計測時には、それらを無音で再生することにより、使用可能な音声データの幅を広げることができる。一方、例えばユーザーインターフェース部１５から、使用者による動画再生指示があったとき所定の音声（効果音等）を再生するように構成の場合には、その音声データを計測用音声データとして用いて相対誤差の計測を行うことができ、その際においては、上記音声データを通常通り出力させることができる。
【００５０】
また、本実施の形態においは、その機能を動画再生に特化した音声付き動画再生装置について説明したが、これに限らず、本発明は音声付き動画を再生する機能を有するものであれば、例えば音声付き動画撮影機能を備えたデジタルカメラや、ＤＶＤプレーヤー等の種々の装置に適用することができる。
【図面の簡単な説明】
【００５１】
【図１】音声付き動画再生装置を示すブロック図である。
【図２】同音声付き動画再生装置における動画再生時の動作内容を示したフローチャートである。
【図３】ＣＰＵによるクロック誤差計測処理の手順を示したフローチャートである。
【符号の説明】
【００５２】
１    データ入力部
２    データ分離部
３    音声デコード部
４    音声バッファ
５    ＤＡ変換部
６    音声出力部
７    音声用クロック
８    画像デコード部
９    画像表示部
１０    フレーム間隔タイマー
１０ａ    フレームレートレジスタ
１１    画像用クロック
１２    ＣＰＵ
１３    ＲＯＭ
１４    ＲＡＭ
１５    ユーザーインターフェース部
【図１】
2006050362.tif 000003
【図２】
2006050362.tif 000004
【図３】
2006050362.tif 000005